(57)【特許請求の範囲】
【請求項１】
遠隔操作して回転する回転軸の上端に順方向のネジと逆方向のネジを形成した遠隔操作棒と、一対の柄部の遠近動によって開閉する歯部を有し前記一対の柄部の夫々の基端に前記遠隔操作棒の回転軸のそれぞれのネジに螺合するナット部を形成したペンチ本体とを備え、前記遠隔操作棒の回転軸を遠隔操作することによってそれぞれのネジに螺合された前記ナット部を上下移動させることによって、前記ペンチ本体の柄部を開閉して前記歯部を開閉するようにしたことを特徴とする遠隔操作式圧縮ペンチであって、
上下ナット部には前記回転軸の軸心に対し直角方向の枢軸が設けられ、前記一対の柄部のそれぞれが前記枢軸に枢支されていることを特徴とする遠隔操作式圧縮ペンチ。
【請求項２】
前記回転軸は、操作棒本体に支持される回転軸本体と、この回転軸本体の先端に着脱可能且つ一体回転可能に接続されるネジ軸とで構成されていることを特徴とする請求項１に記載の遠隔操作式圧縮ペンチ。
【発明の詳細な説明】
【０００１】
【発明の属する技術分野】
本発明は、高圧配電線路における活線作業の間接活線工法において遠隔操作棒の遠隔操作によって、ペンチ本体を開閉するようにした遠隔操作式圧縮ペンチに関する。
【０００２】
【従来の技術】
従来、圧縮ペンチで線材を接続するための接続用筒材を押圧して潰すことによって線材を結合するときに、この線材が高い箇所に存する場合には、電柱等の高所で線材の結合作業を行っていた。
【０００３】
【発明が解決しようとする課題】
ところが、線材の結合作業をするときには、高い場所で充電した部分に触れるため、感電に対する危険と、ゴム手袋を着用しての作業となるため、作業性が悪いという問題があった。
【０００４】
本発明は、上記従来の問題を解消し、高い箇所にある線材を結合する作業等を電柱等の高所、作業車等から遠隔操作して行うことができ、安全性と作業性に優れた遠隔操作式圧縮ペンチを提供することを目的とする。
【０００５】
【課題を解決するための手段】
上記目的を達成するために、本発明は、遠隔操作して回転する回転軸の上端に順方向のネジと逆方向のネジを形成した遠隔操作棒と、一対の柄部の遠近動によって開閉する歯部を有し前記一対の柄部の夫々の基端に前記遠隔操作棒の回転軸のそれぞれのネジに螺合するナット部を形成したペンチ本体とを備え、前記遠隔操作棒の回転軸を遠隔操作することによってそれぞれのネジに螺合された前記ナット部を上下移動させることによって、前記ペンチ本体の柄部を開閉して前記歯部を開閉するようにしたことを特徴とする遠隔操作式圧縮ペンチであって、上下ナット部には前記回転軸の軸心に対し直角方向の枢軸が設けられ、前記一対の柄部のそれぞれが前記枢軸に枢支されていることを特徴としている。
【０００６】
また、前記回転軸は、操作棒本体に支持される回転軸本体と、この回転軸本体の先端に着脱可能且つ一体回転可能に接続されるネジ軸とで構成されていると好適である。
【０００７】
更に、前記ネジ形成部には、ペンチ本体の歯部が閉められたときに前記柄部の上下移動を規制するストッパーが設けられていることが好ましい。
【００１０】
本発明によると、ペンチ本体の歯部で高い箇所に存する線材等を挟んで当てた状態で遠隔操作棒の回転軸を回転させると、回転軸の上端の順方向のネジと逆方向のネジが回転し、これらのネジに螺合しているペンチ本体の一対の柄部に形成されたナット部が開閉し、これに伴ってペンチ本体の歯部が開閉する。この歯部が閉まることにより、歯部で線材等を挟み込んで、例えば、線材を接続するための接続用筒材を潰して線材を結合するように使用する。
【００１１】
このように、高い箇所にある線材等を間接活線工法により安全に作業することができる。
【００１２】
また、回転軸が、回転軸本体と、この回転軸本体の先端に着脱可能且つ一体回転可能に接続されるネジ軸とで構成されていると、使用しないときには、このネジ軸及びネジ軸に螺合によって取り付けられたペンチ本体と、回転軸本体及び回転軸を支持する操作棒本体とを分離できるので、運搬や収納が行い易い。
【００１３】
更に、ネジ形成部にペンチ本体の柄部の上下移動を規制するストッパーが設けられていると、ペンチ本体の柄部の開きを規制して歯部が必要以上に閉まることがなく、また圧縮完了の目安とすることができる。
【００１６】
【発明の実施の形態】
以下、本発明に係る遠隔操作式圧縮ペンチの実施の形態について、図を参照しつつ説明する。
【００１７】
本実施形態の遠隔操作式圧縮ペンチは、図１に示すように、遠隔操作棒２０は回転軸１が遠隔操作棒本体２に内蔵された構成とされ、この回転軸１は、回転軸本体３（図５、図６参照）とこの回転軸本体３の先端に着脱可能且つ一体回転可能に接続されるネジ軸４とで構成され、このネジ軸４にペンチ本体５の一対の柄部６、７の基部に設けられたナット部６ａ、７ａが螺合されるようになっている。
【００１８】
このネジ軸４には、順方向のネジ４ａと逆方向のネジ４ｂとが上下に形成されており、これらネジ４ａ、４ｂにペンチ本体５の柄部６、７のナット部６ａ、７ａが螺合されており、ネジ軸４の回転によって、ペンチ本体５の柄部６、７が開閉し、これに伴ってペンチ本体５の歯部８が開閉されるようになっている。
【００１９】
更に、図２、図３に示すように、ネジ軸４の上下のネジ４ａ、４ｂの基端部には、ペンチ本体５の歯部８が閉められたときに柄部６、７の上下移動を規制するストッパー９、９がビスで取り付け固定されている。
【００２０】
また、ネジ軸４の下端には、遠隔操作棒２０に連結するための連結部４０が設けられ、この連結部４０を遠隔操作棒２０に連結した状態で、ネジ軸４と遠隔操作棒２０の回転軸本体３とが回転可能に接続されるようになっている。
【００２１】
更に、図４に示すように、ネジ軸４におけるペンチ本体５の柄部６、７が取り付けられる箇所には、歯部８の開閉に伴う柄部６、７を回転して開閉する回転機構１０が設けられており、この回転機構１０は、上下ナット部６ａ、７ａから外向きに突設された小ネジ軸１１と、ペンチ本体５の上下の柄部６、７の先端にそれぞれ穿設されて小ネジ軸１１が嵌入され且つ小ネジ軸１１の内径より大きい径に形成された孔部６ｂ、７ｂと、上下ナット部６ａ、７ａの各小ネジ軸１１の先端にそれぞれ螺合されるナット１２とで構成されている。
【００２２】
遠隔操作棒２０は、図５、図６に示すように、先端に先連結部２１を、中間部に絶縁性を有する把持部を、後端付近にギアボックス２２を、後端に入力後端部２３をそれぞれ設け、回転力を伝達する回転軸１を回動自在に内装してなる遠隔操作棒本体２の先連結部２１に、ネジ軸４を連結し、この把持部の適宜箇所を手で握って遠隔操作棒２０を操り、ギアボックス２２又は入力後端部２３から回転力を入力して回転軸１を回転させ、この回転軸１の回転を、ネジ軸４に伝達し、このネジ軸４を回転させるように構成している。
【００２３】
更に、遠隔操作棒本体２が、前ブリッジ３５の先連結部２１と後ブリッジ３６とで回転軸１を回動自在に軸支し、この前後ブリッジ３５、３６間に内外周面が絶縁処理された前把持部２４を回転軸１と平行に配設し、後ブリッジ３６の後方に絶縁性を有する中把持部２５を連設し、中把持部２５に回転軸１を回動自在に内装し、この中把持部２５の後端にギアボックス２２を取り付け、このギアボックス２２の後端に絶縁性を有する後把持部２７を連結し、この後把持部２７の後端に入力後端部２３を設け、後把持部２７に回転軸１を回動自在に内装している。
【００２４】
ギヤボックス２２は、中把持部２５に内装した回転軸１にベベルギヤからなる軸ギヤ２８を一体に回転するように配設し、ベベルギヤからなる入力口２９ａを有する入力ギヤ２９をこの軸ギヤ２８と噛み合わせて回転自在に配設している。
【００２５】
また、ギヤボックス２２の入力口２９ａや入力後端部２３の後嵌合孔２３ａは、これらにラチェットハンドル、電動ドリル等（図示略）を差し込み、このラチェットハンドル、電動ドリル等を回転させることにより、この回転力が回転軸１に伝達されるように構成されている。
【００２６】
更に、先連結部２１は、前ブリッジ３５の前方に突出した円筒状体で、先端外周面に係止部材３４を配設し、軸方向に挿入口２１ａを設けたものである。
【００２７】
尚、図５、図６において、符号３０は水切鍔であり、符号３１は把持部と把持部以外の部分との区別を明らかにするための限界鍔である。
【００２８】
上記のように構成された本実施形態の遠隔操作式圧縮ペンチは、遠隔操作棒２０の前把持部２４又は中把持部２５を片手に握り、ギヤボックス２２の入力口２９ａ又は入力後端部２３の後嵌合孔にラチェットハンドルを差し込み、このラチェットハンドルを回転操作することにより、回転軸１の回転軸本体３を回転し、その先端のネジ軸４を回転しナット部６ａ、７ａを介してペンチ本体５の柄部６、７を開閉してペンチ本体５の歯部８を開閉し、この歯部８が閉まることによって、例えば、高い箇所にある線材を歯部８で挟み込んで、線材を接続するための接続用筒材を潰して線材を結合するように用いる。
【００２９】
本実施形態の遠隔操作式圧縮ペンチによれば、上記のように、高い箇所にある線材等を間接活線工法により安全に作業することができる。
【００３０】
また、回転軸１が、回転軸本体３と、この回転軸本体３の先端に着脱可能且つ一体回転可能に接続されるネジ軸４とで構成されていると、使用しないときには、このネジ軸４及びネジ軸４に螺合によって取り付けられたペンチ本体５と、回転軸本体３及び回転軸１を支持する操作棒本体２とを分離できるので、運搬や収納が行い易い。
【００３１】
更に、ネジ軸４にペンチ本体５の柄部６、７の上下移動を規制するストッパー９、９が設けられていると、ペンチ本体５の柄部６、７の開きを規制して歯部８が必要以上に閉まることがなくて、確実な圧縮作業を行うことができる。
【００３２】
また、ネジ軸４におけるペンチ本体５の柄部６、７が取り付けられている箇所に設けられた回転機構１０によって、柄部６、７を回転して開閉するようにしたので、柄部６、７の開閉をスムーズに行うことができる。
【００３３】
更に、回転機構１０が上下ナット部６ａ、７ａから外向きに突設された小ネジ軸１１と、前記ペンチ本体５の上下の柄部６、７の先端にそれぞれ穿設されて前記小ネジ軸１１が嵌入され且つ前記小ネジ軸１１の内径より大きい径に形成された孔部６ｂ、７ｂと、前記上下ナット部６ａ、７ａの各小ネジ軸１１の先端にそれぞれ螺合されるナット１２とで構成されているので、ペンチ本体５の柄部６、７は小ネジ軸１１を中心に上下に回転して開閉されるので、この柄部６、７の開閉をスムーズに行うことができる。また、ナット１２を小ネジ軸１１から取り外すことによって、柄部６、７をネジ軸４から取り外すことができるので、ペンチ本体５とネジ軸４とを分離することができて、運搬や収納を容易に行うことができ、且つペンチ本体５を修理するときに、ペンチ本体５を取り外して行うことができるので、この修理が行い易い。
【００３４】
また、ギヤボックス２２の入力口２９ａあるいは入力後端部２３の後嵌合孔２３ａに、ラチェットハンドルを差し込み、このラチェットハンドルを回転させることによって回転軸１を回転操作して、ネジ軸４を回転して上下ナット部６ａ、７ａを介してペンチ本体５の柄部６、７を開閉し、この柄部６、７の開閉によってペンチ本体５の歯部８を開閉できるので、その操作を容易に行うことができる。  更に、片手で前把持部２４もしくは中把持部２５を持った状態でラチェットハンドルを回転操作することができるので、遠隔操作棒２０を安定した状態で支持して回転軸１を回転できて、ネジ軸４等を介してペンチ本体５の柄部６、７を開閉し、本体５の歯部８を開閉できる。
【００３５】
尚、本実施形態では、回転軸１とネジ軸４とを着脱可能な構造のものについて説明したが、これに限らず、回転軸１とネジ軸４を一体にしたものも適用できることは勿論である。
【００３６】
また、回転操作棒２０の構造は、本実施形態の構造のものに限らず、他の操作棒本体２に回転軸１を内装した他の構造のものも使用できる。
【００３７】
【発明の効果】
以上説明したように、本発明によれば、高い箇所に存する高圧配電線等をペンチ本体の開いた歯部内に導入して当てた状態で遠隔操作棒の回転軸を回転させて回転軸の上端の順方向のネジと逆方向のネジを回転し、これらのネジに螺合しているペンチ本体の一対の柄部に形成されたナット部を開閉してペンチ本体の歯部が開閉できるので手の届かない高い箇所にある高圧配電線等を間接活線工法により安全に作業することができる。
【図面の簡単な説明】
【図１】本発明の実施の形態の遠隔操作式圧縮ペンチを示す正面図である。
【図２】実施形態の遠隔操作式圧縮ペンチの要部を示し、ペンチ本体の歯が閉まった状態の拡大正面図である。
【図３】実施形態の遠隔操作式圧縮ペンチの要部を示し、ペンチ本体の歯が開いた状態の拡大正面図である。
【図４】実施形態の遠隔操作式圧縮ペンチのネジ軸とペンチ本体の柄部との回転可能な取り付け構造を示す一部断面した拡大側面図である。
【図５】実施形態の遠隔操作式圧縮ペンチの遠隔操作棒の拡大正面図である。
【図６】実施形態の遠隔操作式圧縮ペンチの遠隔操作棒の一部断面した拡大正面図である。
【符号の説明】
１            回転軸
２            遠隔操作棒本体
３            回転軸本体
４            ネジ軸
４ａ、４ｂ    ネジ（逆ネジ）
５            ペンチ本体
６、７        柄部６、７
６ａ、７ａ    ナット部
６ｂ、７ｂ    孔部
８            歯部
９            ストッパー
１０          回転機構
１１          小ネジ軸
１２          ナット
２０          遠隔操作棒
【図１】
0004136135.tif 000002
【図２】
0004136135.tif 000003
【図３】
0004136135.tif 000004
【図４】
0004136135.tif 000005
【図５】
0004136135.tif 000006
【図６】
0004136135.tif 000007